(57)【要約】【課題】  車に乗車した個人を特定する、あるいは、個人特定のための精度向上を図る。【解決手段】  センサ１１からの信号により乗車を検知する乗車検知部２１と、乗車検知部２１が乗車を検知したとき、位置取得部１２が出力する現在位置情報を乗車位置情報として取得する乗車位置取得部２２と、個人識別情報と位置情報が対応付けられたデータベース２３を参照して、取得した乗車位置情報に対応する個人識別情報を検索する個人検索部２４を備える。【選択図】図１
2010216869.tif 000002
【特許請求の範囲】
【請求項１】
センサからの信号により乗車を検知する乗車検知部と、
乗車検知部が乗車を検知したとき、位置取得部が出力する現在位置情報を乗車位置情報として取得する乗車位置取得部と、
個人識別情報と位置情報が対応付けられたデータベースを参照して、取得した乗車位置情報に対応する個人識別情報を検索する個人検索部を備えることを特徴とする
車両用個人検索装置。
【請求項２】
データベースは、位置情報として、以前に取得した乗車位置情報が対応付けられた第１データベースを有する
請求項１に記載の車両用個人検索装置。
【請求項３】
データベースは、位置情報として、個人の住所が対応付けられた第２データベースを有する
請求項１または請求項２に記載の車両用個人検索装置。
【請求項４】
外部端末と通信を行う通信部をさらに備え、
個人検索部は、通信部を介して外部端末のデータベースを参照して、乗車位置情報に対応する個人識別情報を検索する
請求項１乃至請求項３のいずれか１項に記載の車両用個人検索装置。
【請求項５】
センサからの信号により乗車を検知する乗車検知処理と、
乗車検知処理にて乗車が検知されたとき、位置取得部が出力する現在位置情報を乗車位置情報として取得する乗車位置取得処理と、
個人識別情報と位置情報が対応付けられたデータベースを参照し、取得した乗車位置情報に対応する個人識別情報を検索する個人検索処理を行うことを特徴とする
車両用個人検索プログラム。
【発明の詳細な説明】
【技術分野】
【０００１】
本発明は、車両に乗車した個人を検索する車両用個人検索装置および車両用個人検索プログラムに関する。
【背景技術】
【０００２】
車両に装備されるナビゲーション装置では、個人の嗜好や個人の利用履歴などに応じて、各個人に対応したお奨め情報を提示することが行われている。
【０００３】
特許文献１には、乗員の発する音声より所定の語句を認識し、認識した語句から乗員が希望する行先を推定して音声で提案し、提案された行先に乗員が同意した場合、当該行先をナビゲーション制御部に目的地として入力するナビゲーション装置が開示されている。
【０００４】
このナビゲーション装置では、乗員の嗜好に応じて行先を推定することが可能であって、その第１５段落には、乗員を特定するため、会話で交わされる音声の特徴から現在乗車している乗員を特定する処理について開示がみられる。
【０００５】
また、車両内における個人の特定は、個人の嗜好に応じた各種サービスのみならず音声認識処理にて認識率を向上させる場合にも役立つ。現在、目的地の指定などを音声入力にて行うナビゲーション装置は一般的となっている。このようなナビゲーション装置における音声認識処理では、各個人に対応した音響モデルを用いることで認識率の向上を図ることができる。また、音声認識処理を行いながら、この音響モデルを学習させることで個人への適応度を向上させ、認識率を向上させることもできる。
【０００６】
以上のように、車両内における個人の特定は、乗員の嗜好情報に応じた行き先の提案、音声認識処理における認識率の向上に役立つものとなるが、今後、インターネットによる各種情報の提供など車両内での各種サービスが拡充するにつれて、"誰が車に乗っている
か"を自動的に識別する技術は重要となることが予想される。
【先行技術文献】
【特許文献】
【０００７】
【特許文献１】特開２００１−２８９６６１号公報
【発明の概要】
【発明が解決しようとする課題】
【０００８】
このように、車両内における個人の特定は各種サービスを行うに際して基礎となる重要な技術であって精度よく行われることが望ましい。しかしながら、特許文献１に記載された個人特定のための処理では、音声の特徴のみによって乗員の特定を行うものであるため、その特定精度は音響処理に依存する。当然のことながら音響処理の精度が悪ければ個人特定処理においても誤認識が生じることとなる。
【０００９】
このように、音響処理のような１つの技術でもって個人を特定することも可能ではあるが、その精度を向上させるためには、他のアプローチによる個人特定の手法、あるいは、複数の手法を組み合わせることで、個人特定の精度向上を図ることが求められている。
【課題を解決するための手段】
【００１０】
本発明は、車に乗車した個人を特定する、あるいは、個人特定のための精度向上を図る車両用個人検索装置、車両用個人検索プログラムを提供することを目的とするものであっ
て、そのため下記の各種構成を採用することとしている。
【００１１】
本発明の車両用個人検索装置は、センサからの信号により乗車を検知する乗車検知部と、乗車検知部が乗車を検知したとき、位置取得部が出力する現在位置情報を乗車位置情報として取得する乗車位置取得部と、個人識別情報と位置情報が対応付けられたデータベースを参照して、取得した乗車位置情報に対応する個人識別情報を検索する個人検索部を備えることを特徴としている。
【００１２】
さらに、本発明の車両用個人検索装置において、データベースは、位置情報として、以前に取得した乗車位置情報が対応付けられた第１データベースを有することとしている。
【００１３】
さらに、本発明の車両用個人検索装置において、データベースは、位置情報として、個人の住所が対応付けられた第２データベースを有することとしている。
【００１４】
さらに、本発明の車両用個人検索装置は、外部端末と通信を行う通信部をさらに備え、個人検索部は、通信部を介して外部端末のデータベースを参照して、乗車位置情報に対応する個人識別情報を検索することしている。
【００１５】
また、本発明の車両用個人検索プログラムは、センサからの信号により乗車を検知する乗車検知処理と、乗車検知処理にて乗車が検知されたとき、位置取得部が出力する現在位置情報を乗車位置情報として取得する乗車位置取得処理と、個人識別情報と位置情報が対応付けられたデータベースを参照し、取得した乗車位置情報に対応する個人識別情報を検索する個人検索処理を行うこととするものである。
【図面の簡単な説明】
【００１６】
【図１】本発明の第１実施形態に係る機能ブロックを示す図。
【図２】本発明の第１実施形態に係る個人検索処理を示すフロー図。
【図３】本発明の第１実施形態に係る乗車位置履歴情報による検索の様子を示す図。
【図４】本発明の第２実施形態に係る機能ブロックを示す図。
【図５】本発明の第２実施形態に係る個人検索処理を示すフロー図。
【図６】本発明の第２実施形態に係る住所情報による検索の様子を示す図。
【図７】本発明の第３実施形態に係る機能ブロックを示す図。
【図８】本発明の第３実施形態に係る個人検索処理を示すフロー図。
【発明を実施するための形態】
【００１７】
図１は、本発明の第１実施形態に係る個人検索装置の機能ブロックを示した図である。本実施形態の個人検索装置は、ＣＰＵなどの制御手段、メモリ、ハードディスクなどの記憶手段、各種インタフェースを備えたコンピュータにて構成される。以後説明する個人検索装置の機能ブロックを示した図において、各ブロックはコンピュータの処理機能を表したものとなっており、各ブロックが必ずしも部品に対応するものではない。また、パーソナルコンピュータなどの汎用ハードウェア上で動作するプログラムとして提供されるものであってもよい。
【００１８】
本実施形態において、個人検索装置２０は、乗車検知部２１、乗車位置取得部２２、個人ＩＤデータベース２３、個人ＩＤ決定部２４を備えて構成される。また、個人検索装置２０の外部には、周辺機器として、センサ１１、ＧＰＳ１２、時計１３、入力手段１４が配置され、個人検索装置２０と各種信号のやりとりを行う。
【００１９】
乗車検知部２１は、センサ１１から入力される信号に基づき、車両に人が乗車したことを検知する。このセンサ１１、乗車検知部２１には各種の実施形態を採用することが考え
られる。
【００２０】
例えば、座席への荷重を検出する荷重センサを用いることで、乗車検知部２１にて着座を検出し人が乗車したことを検出することが考えられる。また、着座の検出としては、シートベルトの装着を検出するセンサとしてもよい。
【００２１】
このような着座の検出に限らず、例えばセンサ１１にマイクロフォンを用い、乗車検知部２１が音声信号から会話を検出することで乗車を検出することとしてもよい。また、センサ１１にカメラを用いた場合には、車内の様子を撮影し、乗車検知部２１が画像信号の変化を検出することで乗車の検知を行ってもよい。さらには、これらの手法を組み合わせることで精度の高い乗車検知を行うこととしてもよい。
【００２２】
乗車位置取得部２１は、乗車検知部２１が乗車を検知したときに、ＧＰＳ１２（本発明における「位置取得部」）から緯度、経度といった車両の現在位置情報を取得し、当該現在位置情報を乗車位置情報として出力する。その際、計時手段としての時計１３から現在時刻も併せて取得し乗車位置情報に含めることとしてもよい。また、この現在時刻は、ＧＰＳ１２に含まれる時刻情報を用いることとしてもよい。
【００２３】
個人ＩＤデータベース２３には、第１データベースとしての乗車位置履歴情報２３ａが含まれている。この乗車位置履歴情報２３ａは、個人ＩＤに対応付けられた乗車位置情報の集合で構成される。また、この個人ＩＤデータベースは、外部に設けられるキーボード、タッチパネルなど各種の入力手段１４からの操作によって作成、更新することが可能とされている。
【００２４】
個人ＩＤ決定部２４は、乗車位置取得部２２が出力する乗車位置情報を乗車位置履歴情報２３ａと照らし合わせることで個人ＩＤの検索を行う。具体的には、乗車位置取得部２２が出力する乗車位置情報と距離的に近い、乗車位置履歴情報２３ａ内の乗車位置情報を抽出し、それに対応した個人ＩＤの出力を行う。
【００２５】
図２は、図１の個人検索装置２０を用いて行う個人検索処理の流れを示したフロー図である。Ｓ１００にて個人検索装置２０が起動すると、Ｓ１０１にて乗車検知部２１による乗車の検知が開始される。
【００２６】
乗車があったことを検知すると、Ｓ１０２において乗車位置取得部２２は、ＧＰＳ１２から車両の現在位置である現在位置情報を取得し、乗車位置情報として個人ＩＤ決定部２４に出力する。その際、時計１３、あるいは、ＧＰＳ信号自体に含まれる現在時刻をこの現在位置情報に含めることとしてもよい。
【００２７】
現在位置情報を取得した個人ＩＤ決定部２４は、個人ＩＤデータベース２３の乗車位置履歴情報２３ａを参照して個人ＩＤの検索を行う。図３は、説明のため検索の様子を地図上で示した図である。同図の中央には、乗車を検知した現在位置情報、即ち、乗車位置情報が示されている。一方、この乗車位置情報の半径３００ｍ内には、乗車位置履歴情報２３ａとして、Ａさんが乗車した乗車位置情報が示されている。また、その半径５００ｍ内には他の乗車位置履歴情報２３ａとして、Ｂさんが乗車した乗車位置情報が示されている。
【００２８】
個人ＩＤ決定部２４は、乗車位置から閾値距離内にある乗車位置情報を抽出し、それに対応した個人ＩＤを抽出することで乗車した個人の判定を行う。図３に示すような場合において、検索範囲の閾値を３００ｍとした場合には、Ａさんの個人ＩＤが抽出される。一方、検索範囲の閾値を５００ｍとした場合には、ＡさんとＢさん、２つの個人ＩＤが抽出
されることとなる。
【００２９】
Ｓ１０４では、Ｓ１０３にて個人ＩＤが抽出されたか、否かが判定される。個人ＩＤが抽出されていない場合には、新規の乗車位置であるという仮定のもと、Ｓ１０８にて操作者の操作による手動登録が行われる。ここでは、入力手段１４からの操作入力により、検出した乗車位置情報に対して個人ＩＤが対応付けられる。対応付けられた個人ＩＤと乗車位置情報は、Ｓ１０７にて乗車位置履歴情報２３ａに記憶される。
【００３０】
一方、手動入力されなかった場合には、一連の個人検索処理は終了し、必要に応じてＳ１０１の乗車検知処理を再開して乗車の監視が行われる。なお、個人ＩＤを自動的に特定する手段を別途有する場合には、このＳ１０８の手動登録に代え、当該手段で特定された個人ＩＤを用いることとしてもよい。
【００３１】
Ｓ１０４にて個人ＩＤが抽出されている場合、即ち、検索結果があった場合には、Ｓ１０５にて検索結果が１つであるか、複数であったかが判定される。図３の閾値を３００ｍとした場合のように、検索結果が１つであった場合には、個人ＩＤ決定部２４は、当該個人ＩＤを出力することで乗車した個人を特定し処理を終了する。
【００３２】
一方、図３の閾値を５００ｍとした場合のように検索結果が複数であった場合には、Ｓ１０６にて検索結果の選定が行われる。ここでは、複数の検索結果を操作者に対し、画面、音声などによる提示手段にて候補となる個人を提示し、操作者に選択させることで決定させる。別途、個人ＩＤを自動で特定する手段がある場合には、当該手段にて決定することとしてもよい。選定された個人ＩＤは、Ｓ１０７にて乗車位置情報と対応付けられ乗車位置履歴情報２３ａとして記憶される。
【００３３】
以上、本発明の第１実施形態について説明したが、本実施形態によれば、第１データベースとしての乗車位置履歴情報２３ａを用いて個人の検索を検索を行うことで、個人を特定すること、もしくは、個人を特定する精度の向上を図ることが可能となる。
【００３４】
では、本発明の第２実施形態について図４〜図６を用いて説明する。図４は、本発明の第２実施形態に係る個人検索装置の機能ブロックを示した図である。第１実施形態とは、個人データベース２３の内容、並びに、外部装置３０と通信可能な通信部２５を備えた点で異なった構成となっており、その他の点は同様である。ここでは異なる構成を中心に説明を行う。
【００３５】
個人ＩＤデータベース２３には、第２データベースとしての住所情報２３ｂが記憶されている。この住所情報２３ｂは、個人ＩＤに、位置情報として個人の住所が対応付けられたものであって、例えば、ナビゲーション装置などに登録されている住所録を兼用することが考えられる。本実施形態では、個人ＩＤ決定部２４は、この住所情報２３ｂと乗車位置情報を比較して個人の検索を行う。
【００３６】
また、本実施形態の個人検索装置には、外部装置３０と通信を行う通信部２５が設けられている。通信部２５は、Bluetooth（登録商標）、無線ＬＡＮ、赤外線、携帯電話用回
線などの手法にて車内、あるいは、車外にある携帯電話、外部サーバなどの外部装置と通信を行う。外部装置３０には、個人ＩＤデータベースに記憶される住所情報２３ｂと同様の住所情報３１ａが記憶されており、個人検索装置２０は、この通信部２５を介してこの住所情報３１ａにアクセス可能とされている。本実施形態では、個人ＩＤ決定部２４は、この住所情報３１ａも利用した個人検索を可能としている。
【００３７】
図５は、図４の個人検索装置２０を用いて行う個人検索処理の流れを示したフロー図で
ある。Ｓ２００にて個人検索装置２０が起動すると、Ｓ２０１にて乗車検知部２１による乗車の検知が開始される。
【００３８】
Ｓ２０２において乗車があったことを検知すると、乗車位置取得部２２は、ＧＰＳ１２から車両の現在位置である現在位置情報を取得し、乗車位置情報として個人ＩＤ決定部２４に出力する。その際、時計１３、あるいは、ＧＰＳ信号自体に含まれる現在時刻をこの現在位置情報に含めることとしてもよい。
【００３９】
現在位置情報を取得した個人ＩＤ決定部２４は、個人ＩＤデータベース２３の住所情報２３ｂを参照して個人ＩＤの検索を行う。図６は、説明のため検索の様子を地図上で示した図である。同図の中央には、乗車を検知した現在位置情報、即ち、乗車位置情報が示されている。一方、この乗車位置情報の半径３００ｍ内には、住所情報２３ｂに登録されたＣさんの自宅が示されている。また、また、その半径５００ｍ内には他の住所情報２３ｂとして、Ｄさんの勤務先が示されている。
【００４０】
個人ＩＤ決定部２４は、乗車位置情報から閾値距離内にある住所情報２３ｂを抽出し、それに対応した個人ＩＤを抽出することで乗車した個人の判定を行う。図６に示すような場合において、検索範囲の閾値を３００ｍとした場合には、Ｃさんの個人ＩＤが抽出される。なお、本実施形態では、ＧＰＳ１２にて取得した、緯度、経度で構成された乗車位置情報と、地名としての住所との比較となるため、地図情報などによりそのどちらかを変換して比較する必要がある。
【００４１】
Ｓ２０４では、Ｓ２０３にて個人ＩＤが抽出されたか否かが判定される。個人ＩＤが抽出された場合には、個人検索処理を終了する。なお、本実施形態においても、第１実施形態のようにＳ１０５、Ｓ１０６で行ったように検索結果が複数存在する場合に対処できる処理を付加することとしてもよい。
【００４２】
一方、Ｓ２０５にて検索結果がない場合には、本実施形態では外部装置３０が保有する住所情報３１ａを検索することとしている。Ｓ２０５では、通信部２５は、外部装置３０と通信可能か否かの判断を行う。外部装置３０には、運転者が所持する携帯電話や、車外の外部サーバなどが用いられ、通信部２５に事前登録されている。
【００４３】
外部装置３０と通信可能と判断した場合には、外部装置３０が記憶する住所情報３１ａ中、乗車位置情報に対応する個人ＩＤの検索が行われる。個人ＩＤが検索された場合には、個人検索処理を終了する。ここでの検索処理はＳ２０３と同様である。
【００４４】
一方、Ｓ２０５で外部装置３０と通信できないと判断した場合、並びに、Ｓ２０７で外部装置３０の住所情報３１ａにおいても個人ＩＤが検索出来なかった場合には、Ｓ２０８にて手動登録することが操作者に促される。ここでは、入力手段１４からの操作入力により、検出した乗車位置情報に対して個人ＩＤが対応付けられる。対応付けられた個人ＩＤと乗車位置情報は、Ｓ２０９にて住所情報２３ｂ、あるいは、外部装置の住所情報３１ａに記憶される。
【００４５】
以上、本発明の第２実施形態について説明したが、本実施形態によれば、第２データベースとしての住所情報２３ｂ、あるいは外部装置３０の住所情報３１ａを用いて個人の検索を検索を行うことで、個人を特定すること、もしくは、個人を特定する精度の向上を図ることが可能となる。なお、本実施形態では個人検索装置２０内に記憶する住所情報２３ｂを、外部装置３０内に記憶する住所情報３１ａに優先して検索することとしたが、住所情報を用いる形態であればその存在場所を問うものではなく、個人検索装置２０内のみ、外部装置３０内のみに住所情報を設けた構成としてもよい。
【００４６】
では、本発明の第３実施形態について図７、図８を用いて説明を行う。図７は、本発明の第３実施形態に係る個人検索装置の機能ブロックを示した図である。本実施形態は、第１実施形態と第２実施形態を組み合わせた形態となっており、個人ＩＤデータベース２３には、乗車位置履歴情報２３ａと住所情報２３ｂが記憶されたものとなっている。個人ＩＤ決定部２４は、この乗車位置履歴情報２３ａと住所情報２３ｂを用いて個人ＩＤの検索を行う。
【００４７】
図８は、図７の個人検索装置２０を用いて行う個人検索処理の流れを示したフロー図である。Ｓ３００にて個人検索装置２０が起動すると、Ｓ３０１にて乗車検知部２１による乗車の検知が開始される。
【００４８】
Ｓ３０２において乗車を検知すると、乗車位置取得部２２は、ＧＰＳ１２から車両の現在位置である現在位置情報を取得し、乗車位置情報として個人ＩＤ決定部２４に出力する。
【００４９】
現在位置情報を取得した個人ＩＤ決定部２４は、まず、Ｓ３０３にて個人ＩＤデータベース２３の乗車位置履歴情報２３ａを参照して個人ＩＤの検索を行う。ここでの検索は第１実施形態で説明した処理（Ｓ１０３）と同様であるため、詳細についての説明は省略する。
【００５０】
Ｓ３０４では個人ＩＤが検索できたか否かが判定され、検索できた場合にはＳ３０５で、検索結果が１つであったか複数であったかが判定される。１つであった場合には、Ｓ３０７にて乗車位置履歴として保存した上で個人検索処理を終了する。一方、検索結果が複数であった場合には、Ｓ３０６にて検索結果が選定される。ここでの処理は第１実施形態におけるＳ１０６の処理と同様であり、操作者による操作、あるいは、別の検索手段によって個人ＩＤが選定される。
【００５１】
一方、Ｓ３０４にて、乗車位置履歴情報２３ａを使用した検索結果がない場合には、Ｓ３０８にて個人ＩＤデータベース２３内の住所情報２３ｂを用いた検索が行われる。ここでの検索は第２実施形態で説明した処理（Ｓ２０３）と同様であるため、詳細についての説明は省略する。Ｓ３０９では、Ｓ３０８での検索結果の有無が判定され、検索結果がある場合には、前述したＳ３０５以降の処理が実行される。
【００５２】
一方、個人ＩＤデータベース２３内の住所情報２３ｂを用いても検索出来ない場合には、外部装置３０の住所情報３１ａを用いた検索が実行される。まず、Ｓ３１０にて外部装置３０と通信可能か否かが判定され、通信可能である場合には、Ｓ３１１において、Ｓ３０８と同様に住所情報３１ａの検索が行われる。Ｓ３１２にて検索結果の有無が判定され、検索結果がある場合には、Ｓ３０５以降の処理が実行される。
【００５３】
一方、Ｓ３１０で外部装置３０と通信できないと判断した場合、並びに、Ｓ３１２で外部装置３０の住所情報３１ａにおいても個人ＩＤが検索出来なかった場合には、Ｓ３１３にて手動登録することが操作者に促される。ここでは、入力手段１４からの操作入力により、検出した乗車位置情報に対して個人ＩＤが対応付けられる。対応付けられた個人ＩＤと乗車位置情報は、Ｓ３０７にて乗車位置履歴情報２３ａに記憶され、処理を終了する。
【００５４】
以上、第３実施形態では、乗車位置履歴情報２３ａ、住所情報２３ｂ、外部装置の住所情報３１ａの優先順位にて検索を行うことで、個人ＩＤの抽出をより確かなものとしている。なお、これら３種の情報の内、どの情報をもちいるか、優先順位をどの順とするかは、適宜選定することが可能である。また、乗車位置履歴情報２３ａについても外部装置３
０内に記憶させておき、通信部２５によってアクセスする構成であってもよい。
【００５５】
なお、本発明はこれらの実施形態のみに限られるものではなく、それぞれの実施形態の構成を適宜組み合わせて構成した実施形態も本発明の範疇となるものである。
【符号の説明】
【００５６】
１１…センサ、１２…ＧＰＳ、１３…時計、１４…入力手段、２０…個人検索装置、２１…乗車検知部、２２…乗車位置取得部、２３…個人ＩＤデータベース、２４…個人ＩＤ決定部、２５…通信部、３０…外部端末
【図１】
2010216869.tif 000003
【図２】
2010216869.tif 000004
【図３】
2010216869.tif 000005
【図４】
2010216869.tif 000006
【図５】
2010216869.tif 000007
【図６】
2010216869.tif 000008
【図７】
2010216869.tif 000009
【図８】
2010216869.tif 000010